【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
必要情報を表示できる大きさの札形の表示部の一部から、この表示部に交差する方向に中空状の有底孔を有する軸を延設し、この軸の延設端に動物の耳に穿孔しながら挿し込むための尖頭状の矢尻部を設けた雄耳標と，前記雄耳標の前記軸を離脱不能に係止する雌耳標とを、前記有底孔に差し込むピンを備えた装着器を用いて前記耳に装着する、軟質樹脂を主体として形成した動物用耳標であって，
前記雄耳標の前記表示部や前記軸がそれらの材質の影響と前記有底孔の存在で曲がりやすくなっていても、前記装着後の前記雌耳標が前記耳から離れる方向に外的負荷が加わった時に前記雄耳標が前記穿孔部分から前記表示部が容易に抜けず、加えて、前記離脱不能状態の前記雄耳標と前記雌耳標のうち前記雄耳標を、前記穿孔部分と同等の別体動物の耳の穿孔部分に入れようとしても、前記表示部が潜り抜けることができない程の膨出部を、前記表示部に設けたことを特徴とする動物用耳標。
【請求項２】
前記膨出部を前記軸近傍の前記表示部に設けたことを特徴とする請求項１に記載の動物用耳標。
【請求項３】
前記膨出部を前記軸から離間した位置の表示部に設けたことを特徴とする請求項１または請求項２のいずれかに記載の動物用耳標。
【請求項４】
前記膨出部をリング状に形成したことを特徴とする請求項１から請求項３のいずれか一つに記載の動物用耳標。
【請求項５】
前記膨出部の断面を、なだらかな山型にしたことを特徴とする請求項１から請求項４のいずれか一つに記載の動物用耳標。
【手続補正２】
【補正対象書類名】明細書
【補正対象項目名】全文
【補正方法】変更
【補正の内容】
【発明の詳細な説明】
【発明の名称】動物用耳標
【技術分野】
【０００１】  本発明は、動物の個体識別等に使用する耳標に関し、詳しくは、動物の耳に装着した耳標の脱落や改ざんを防止する動物用耳標に関する。
【背景技術】
【０００２】  畜産動物等の個体識別用等に使用する動物用耳標は世界的に普及している。
この耳標の多くは耳標装着器を使用して動物の耳に穿孔しながら装着するものである。
具体的には、動物の耳に穿孔しながら挿し込む雄耳標と、この雄耳標が動物の耳を貫通した後この雄耳標を係止する雌耳標とをそれぞれ別体に形成して、動物の耳に装着することで一つの耳標として成り立つものである。
上記構成の多くの耳標は、動物への負担を軽減するために柔らかい素材（例えばポリウレタン等）で成形されていたり、一組の雄雌耳標の質量も一定の制限のもと形成されているため、強度的に必要な箇所以外はできるだけ薄く形成している。その一例を次に示す。
【先行技術文献】
【特許文献】
【０００３】
【特許文献１】特開２００９−１３６２９９号公報
【０００４】  「特許文献１」の記載によれば、「不正にいじれない特性を向上させた動物の耳タグ（不正改ざん防止機能付き動物用耳タグ）を提供する」ことを目的とし、「動物の耳に耳タグを取り付ける結合手段を含み、その結合手段が、ヘッドのついた軸と、軸のヘッドが通って、結合を達成することができる雌穴とを有し、その雌穴は、独立して囲まれたボス部品の一部として形成され、そのボス部品は、硬い材料で作られ、耳タグの一部を形成する材料に固定される、動物の耳タグ」の技術が開示されている。
【発明の開示】
【発明が解決しようとする課題】
【０００５】    「特許文献１」の技術は、雄部品（以下雄耳標）と雌部品（以下雌耳標）の結合手段を強化した技術で、これにより雄耳標と雌耳標との結合が解かれにくくしていて、結合解除による耳タグ（以下耳標）の脱落を防止する点では評価できる。
しかし、耳標そのものの材質が弾力性のあるポリウレタンを主原料としていることから柔らかく薄く形成して動物に負担をかけないようにしているので、図６に示したように雌耳標２０２に矢印方向の外的負荷が加われば、柔らかく薄い雄耳標１０１は、軸１１２周りの表示部１１１ａが小さいこと及びピン挿入孔１１４の存在により中空になっている柔らかい軸１１２の曲がりやすい作用によって表示部１１１ａに対して軸１１２が平行に近い状態なりやすいことも手伝って必然的に耳標装着時に雄耳標１０１によって穿孔した穴ＥＨに、絞られて吸い込まれるようにして入り込み、やがて、この耳Ｅの穴ＥＨから雄耳標１０１が抜けることによる耳標脱落の現象を防止できない。また、逆説的には、雄耳標１０１全体を丸めるか、小さく折りたたんで前記耳Ｅの穴を通せば結合状態にある雄耳標１０１と雌耳標２０２が恰も正常な装着方法によって装着されたものと見分けがつかない程精巧に改ざんできることになる。【０００６】  そこで、本発明は、雄耳標がそれ自身で穿孔した耳の穴から抜け出ないようにすることにより、動物への耳標装着後の雄耳標すり抜けによる脱落を防止するとともに、丸めたり折りたたんでも動物の耳に穿孔した穴を通らないようにする動物用耳標を提供することを目的とする。
【課題を解決するための手段】
【０００７】  上記目的を達成するために本発明では次の各手段を用いて上記課題を解決した。
第一の課題解決手段は、必要情報を表示できる大きさの札形の表示部の一部から、この表示部に交差する方向に中空状の有底孔を有する軸を延設し、この軸の延設端に動物の耳に穿孔しながら挿し込むための尖頭状の矢尻部を設けた雄耳標と，前記雄耳標の前記軸を離脱不能に係止する雌耳標とを、前記有底孔に差し込むピンを備えた装着器を用いて前記耳に装着する、軟質樹脂を主体として形成した動物用耳標であって，
前記雄耳標の前記表示部や前記軸がそれらの材質の影響と前記有底孔の存在で曲がりやすくなっていても、前記装着後の前記雌耳標が前記耳から離れる方向に外的負荷が加わった時に前記雄耳標が前記穿孔部分から前記表示部が容易に抜けず、加えて、前記離脱不能状態の前記雄耳標と前記雌耳標のうち前記雄耳標を、前記穿孔部分と同等の別体動物の耳の穿孔部分に入れようとしても、前記表示部が潜り抜けることができない程の膨出部を、前記表示部に設けた動物用耳標を提供する。【０００８】  第二の課題解決手段は、前記第一の課題解決手段に加えて、前記膨出部を前記軸近傍の前記表示部に設けた動物用耳標を提供する。【０００９】  第三の課題解決手段は、前記第一の課題解決手段または前記第二の課題解決手段のいずれかの手段に加えて、前記膨出部を前記軸から離間した位置の表示部に設けた動物用耳標を提供する。【００１０】  第四の課題解決手段は、前記第一の課題解決手段から前記第三の課題解決手段のいずれか一つに加えて、前記膨出部をリング状に形成した動物用耳標を提供する。【００１１】  第五の課題解決手段は、前記第一の課題解決手段から前記第四の課題解決手段のいずれか一つに加えて、前記膨出部の断面を、なだらかな山型にした動物用耳標を提供する。
【発明の効果】
【００１２】  上記、第一の課題解決手段による作用効果は、耳標は軟質樹脂を主体としていることで、この材質の影響や、雄耳標がピン挿入孔の存在によって中空で曲がりやすい状態にあるにもかかわらず耳標に外的負荷が加わっても雄耳標が耳の穴を通り抜けることはないようにするとともに、離脱不能状態の雄耳標と雌耳標のうち雄耳標を、穿孔部分と同等の別体動物の耳の穿孔部分に入れようとしても、表示部が潜り抜けることができない程の膨出部を表示部に設けた。
したがって、上述のように動物にやわらかい樹脂を採用したことにより優しい配慮をしても動物の耳に装着後の耳標は従来例のような、すり抜けによる脱落がないばかりか、逆説的には、雄耳標と雌耳標が係合した状態では、他の動物に装着することも不可能になって不正改ざん防止効果も奏するので、正確な動物の個体管理ができる。
なお、上記構成例中、膨出部を突起にして設けた場合この突起をロゴマーク等に活用できるようにしても本発明は達成される。
また、本発明の膨出部は、装着後の雌耳標が耳から離れる方向に外的負荷が加わった時に雄耳標が穿孔部分から表示部が容易に抜けず、加えて、離脱不能状態の雄耳標と雌耳標のうち雄耳標を、穿孔部分と同等の別体動物の耳の穿孔部分に入れようとしても、表示部が潜り抜けることができない程の膨出部を表示部に設けていれば、この膨出部の形状等に影響されることはなく本発明は達成される。【００１３】  第二の課題解決手段による作用効果は、上記第一の課題解決手段による作用効果に加え、膨出部を軸近傍の表示部に設けたので、装着状態の雌耳標に外的負荷が加わって雌耳標が耳の穿孔部分に最初に潜り込むことを防止している。
換言すれば、動物の耳の穴に入り込まない程度の膨出部を軸近傍の表示部に形成したことを意味し、従来の動物用耳標ではすり抜けによる耳標脱落時には先ず軸周りの表示部分から耳に穿孔した穴に入り込むことから、先ずはこの耳標脱落に繋がるこの作用を防止できる。
また、雄耳標と雌耳標が離脱不能に係止した状態では、別体動物の耳の穴から表示部が抜け出せないので、装着することも不可能になって不正改ざん防止効果も奏するとした第一の課題解決手段による作用効果を更に補強することができる。【００１４】  第三の課題解決手段による作用効果は、前記第一の課題解決手段または前記第二の課題解決手段のいずれかの手段による作用効果に加えて、膨出部を軸から離間した位置の表示部に設けたので、特に雄耳標と雌耳標が離脱不能に係止した状態では、別体動物の耳の穴に表示部を入れようとしても膨出部が邪魔をするので表示部を差し込むことすらできないか、もしくは仮に差し込めたとしてもすぐにその行為をあきらめざるを得ない状態となる。
したがって、特に、耳標の付け替え防止に効果的であって、このような犯罪行為を未然に防止することもできる。
なお、第二の課題解決手段と第三の課題解決手段を併用すれば、当該耳標の脱落に対する安心感を動物の管理者に与えることができるほか、動物に装着後の当該耳標を他の動物に付け替えようとする意欲を削ぐことにも繋がり、このような犯罪行為を未然に防止することもできる効果もある。【００１５】  第四の課題解決手段による作用効果は、前記第一の課題解決手段から前記第三の課題解決手段のいずれか一つの手段による作用効果に加えて、表示部の膨出部をリング状に形成したので、上記の各課題解決手段の作用効果を更に補強することになる。すなわち、当該耳標の堅牢化で更なる安心感を動物の管理者に与えるほか、動物に装着後の当該耳標を他の動物に付け替えようとする意欲を更に削ぐことにも繋がり、このような犯罪抑止効果を大幅に高めることになる。
加えて、表示部に視認用の記号や番号等を印字するスペースも多く確保できるばかりではなく、耳標の軽量化にも寄与し、動物のストレスを解消するにも役立つ効果もある。【００１６】    第五の課題解決手段による作用効果は、前記第一の課題解決手段から前記第四の課題解決手段のいずれか一つの手段による作用効果に加えて、膨出部の断面を、なだらかな山型にしたので、表示部表面に必要情報を印字した場合でもごみやほこり等がたまりにくくなり表示部の必要情報の視認性を確保できることや、リング状に形成した部分が柵等に引っ掛かって脱落するのを防止できる他、少なくとも耳標装着時にできた耳の傷が治癒するまでは清潔に保つ効果もある。【００１７】  その他、表示部に設ける膨出部の個所を複数個所にすることも本発明は包含するので，これ以上ない耳標のすり抜けによる脱落防止や、雄耳標と雌耳標が離脱不能に係止した状態では他の動物に装着することを一見してあきらめる効果もあり、脱落防止や改ざんを未然に防ぐことができる。【００１８】  このように、本発明は、雄耳標がそれ自身で穿孔した耳の穴から抜け出ないようにすることにより、動物への耳標装着後の雄耳標すり抜けによる脱落を防止するとともに、丸めたり折りたたんでも動物の耳に穿孔した穴を通らないようにするとした所期の目的を達成できる他、各態様により前述したそれぞれの作用効果を奏することができる。
【図面の簡単な説明】
【００１９】
【図１】は、本発明の動物用耳標の一実施例を示す一部断面した全体斜視図。
【図２】は、動物の耳に装着器を用いて装着する際の一部断面した作用説明図。
【図３】は、動物の耳に装着後の作用を示す断面説明図。
【図４】は、本発明の他の実施例を示す雄耳標の一部断面した斜視図。
【図５】は、従来の雄耳標例を示す斜視図。
【図６】は、「図５」に示す雄耳標のすり抜け態様を表す説明図。
【発明を実施するための形態】
【実施例１】
【００２０】  図１において、雄耳標１とこの雄耳標１を嵌め込む雌耳標２とで一対とした動物用耳標ＥＴのうち、雄耳標１は、表示部１１とこの表示部１１の裏側の一部から延設した軸１２とこの軸１２先端側に設けた矢尻部１３と軸の中央付近に穿設したピン挿込孔１４とから成る。ピン挿込孔１４は、後述する動物用耳標ＥＴの装着器Ｔの雄耳標支えピンＴ３を挿し込む有底孔である。【００２１】  また、雌耳標２は、表示部２１と、この表示部２１の一部に設けた抜け止め部２３を備えた嵌め込み穴２２と、矢尻収納部２４とを有する。
なお、嵌め込み穴２２は、有底筒状の壁２６により形成していて動物に動物用耳標ＥＴを装着した後に故意に雌耳標２から雄耳標１を外されるのを防止するため、可能な限り頑丈に形成するのが良い。
また、壁２６と表示部２１との間には段部２５を設けていてこの段部２５は、後述する装着器Ｔを使用する際の雌耳標２の位置決めの役目を果たす。
このように構成した動物用耳標ＥＴは、軟質樹脂、好ましくはポリウレタン樹脂を主体として金型を使用して射出成形する。【００２２】  次に本発明の要部について説明する。
上記動物用耳標ＥＴの内、雄耳標１には軸１２周りの表示部１１ａを動物の耳の穴を潜り抜けられない大きさのリング状の膨出部１５ａにしている。
これは、図５、図６に示すように従来の耳標の場合、軸１１２周りの表示部１１１ａが小さいため、耳Ｅの穴ＥＨを抜けようとして軸１１２と軸１１２周りの表示部１１１ａが平行に近づくと表示部１１１ａの大きさが小さい場合、その先端部分が耳Ｅの穴ＥＨに入り込む現象が生じる。この現象は、図６の矢印方向の外力が作用した場合軸１１２周りの表示部１１１ａはもとより、ほかの表示部１１１まで耳の穴に引きずり込まれることを意味しているので、この実施例では、前述したように先ず、軸１２周りの表示部１１ａを動物の耳Ｅの穴ＥＨを潜り抜けられない大きさにして、表示部１１ａが耳Ｅの穴ＥＨに引きずり込まれないようにした上で更に表示部１１ａの表面に穴ＥＨを通り抜けることができないボリュームを付加した膨出部１５ａをリング状に設けて軸１２周りの表示部１１ａの曲げ強度を大幅に向上させて表示部１１ａが耳の穴に引きずり込まれようとする作用に抵抗するようにしている。このように膨出部１５ａをリング状にすることにより、耳標ＥＴの軽量化にも寄与し、動物のストレスを解消する効果もある。
なお、膨出部１５ａは、断面をなだらかな山形に形成している。その理由は、動物の飼育環境は一般的に飼料等の影響で埃が多くまた、飼育動物の糞尿が飛び散る等余りよろしくない。そこで、表示部１１や表示部１１ａに異物が付着しにくい形状にして、表示機能を損なわないようにすること及び、耳標装着時には耳Ｅに傷がつくので、この傷が治癒するまでは少なくとも表示部１１ａの周辺を清潔に保つための処置である。加えて、膨出部１５ａが柵等に引っ掛かることを防止する効果もある。【００２３】  続いて、動物用耳標ＥＴの装着及び装着後の耳標ＥＴの作用について説明する。
先ず、図２において、装着器Ｔの雌耳標取付部Ｔ２に雌耳標２を図の姿勢でセットする。段部２５は雌耳標２の嵌め込み穴２２の位置が、これから説明する雄耳標１の矢尻部１３が入り込めるようにするための位置決めの役目を果たす。
次に、雄耳標取付部Ｔ１の雄耳標支えピンＴ３に雄耳標１のピン挿入孔１４を挿し込む。
この雄耳標支えピンＴ３は、動物用耳標ＥＴが、前述したように軟質樹脂であるポリウレタンを主体として形成されているため、装着時には雄耳標１の軸１２に座屈荷重が作用することからこの軸１２を座屈荷重から保護して確実な装着を行うために必要不可欠の部品である。
装着器Ｔに上述したようにセットした雄耳標１と雌耳標２は、雄耳標１の軸１２先端に位置する矢尻部１３により、動物の耳Ｅに穿孔しながら耳Ｅを貫通して雌耳標２の嵌め込み穴２２内に矢尻部１３を縮径させながら入り込み、やがて抜け出たところで矢尻部１３が拡径して抜け止め部２３により係止される。
装着器Ｔの雄耳標取付部Ｔ１が図２の上方に離れるとピン挿入孔１４から雄耳標支えピンＴ３が抜け、続いて装着器Ｔを図２の右方向に抜くと雌耳標２は雌耳標取付部Ｔ２から抜けて動物用耳標ＥＴの耳Ｅへの装着が完了する。【００２４】  装着器Ｔから外れた動物用耳標ＥＴは、雄耳標支えピンＴ３が抜け軸１２が中空になったため軸１２が曲がりやすくなる。
従来の雄耳標１１０では、軸１１２が曲がりやすくなることも手伝って表示部１１１ａと軸１１２が平行に近くなると、表示部１１１ａ先端が動物の耳Ｅの穴ＥＨに入りやすかったが、本発明のこの実施例では、表示部１１ａの先端部分を前記耳Ｅの穴ＥＨを潜り抜けられない程度の大きさに形成したこと、及び膨出部１５ａの存在により、軸１２が曲がりやすくても軸１２周りの表示部１１ａが耳の穴を覗くことすらできない状態になる。
換言すれば、図３に示すように、雌耳標２に矢印方向の外的負荷が加わっても、膨出部１５ａの存在により表示部１１ａの剛性が増す結果、耳Ｅの穴ＥＨに表示部１１ａが入り込めないので軸１２が柔らかくても何ら問題がないということになる。加えて、軸１２周りの表示部１１ａを動物の耳Ｅの穴ＥＨを潜り抜けられない大きさにしたので、更に軸１２が曲がりやすくても軸１２周りの表示部１１ａが耳Ｅの穴ＥＨを覗くことすらできない状態を確実にすることができる。
【実施例２】
【００２５】  図４は本発明の他の実施例を示し、例えば、膨出部１１ｂを、表示部１１表面の前記ピン挿入孔１４から離間した前記表示部１１の幅の広い最遠部に設けてもよい。
この実施例の場合は、仮に、表示部１１ａが万一耳Ｅの穴ＥＨに入り込んだと仮定しても膨出部１１ｂの存在により、雄耳標１が耳Ｅの穴ＥＨから抜け出てしまうことはない。
【実施例３】
【００２６】  更に他の実施例として図１に示すように、「実施例１」の構成に加え、「実施例２」のように、膨出部１１ｂを、表示部１１表面の前記ピン挿入孔１４から離間した前記表示部１１の幅の広い最遠部に設けた場合は、安全策の上にさらに安全策を施した、これ以上ないほどの抜け防止機能を果たすことができることは言うまでもない。【００２７】  なお、「実施例３」のように、表示部に、膨出部１１ａ，１１ｂのように形の異なる膨出部を複数設けてもよいが、例えば、図示しないが、膨出部を活用して、各種ロゴマーク等の表示機能を持たせるように膨出部を配置してもよく、また、膨出部の形状を例えば半球状や角錐状に形成してそれを多数配置し穴ＥＨを潜ろうとしても多数の膨出部が邪魔になって表示部が穴ＥＨを抜け出ることができないようにしても本発明を達成できる。
【産業上の利用可能性】
【００２８】  以上の説明で理解できたように、本発明は、耳標の脱落や改ざん防止に役立つ有用な発明であって、法律で定められている牛の個体識別用の耳標として活用できることはもちろんのこと、無線通信によって動物の個体を管理する電子標識にも極めて有効であり、産業上の利用可能性は極めて大きいものがある。
【符号の説明】
【００２９】１……………………………雄耳標
２……………………………雌耳標
１１…………………………表示部
１１ａ………………………表示部（軸１２周り部分）
１２…………………………軸
１２ａ………………………握り部分
１３…………………………矢尻部
１４…………………………ピン挿入孔
１５ａ，１５ｂ……………ボリュームを付加した膨出部
Ｅ……………………………耳
ＥＨ…………………………穴
ＥＴ…………………………動物用耳標